(57)【要約】【課題】安定して画像形成装置に支持される投写光学装置を提供する。【解決手段】投写光学装置１Ｂは、光学系と、光学系を収納する投写光学用筐体５と、を備え、光学系は、画像光が入射する第１光学系を有し、投写光学用筐体５は、第１光学系を収納し、画像形成装置１Ａに支持されるフランジ部５１２（被支持部）を有する第１収納部５１と、フランジ部５１２と投写光学装置１Ｂの重心Ｇとを結ぶ線に沿う方向に対して交差する第１方向（Ｙ方向）において互いに対向する第１壁部５３１および第２壁部５３２と、を有している。【選択図】図５
2018124311.tif 000002
【特許請求の範囲】
【請求項１】
画像光を射出する画像形成装置に取り付けられる投写光学装置であって、
光学系と、
前記光学系を収納する投写光学用筐体と、
を備え、
前記光学系は、前記画像光が入射する第１光学系を有し、
前記投写光学用筐体は、
前記第１光学系を収納し、前記画像形成装置に支持される被支持部を有する第１収納部と、
前記被支持部と当該投写光学装置の重心とを結ぶ線に沿う方向に対して交差する第１方向において互いに対向する第１壁部および第２壁部と、
を有していることを特徴とする投写光学装置。
【請求項２】
画像光を投写するプロジェクターであって、
光源と光変調装置と外装筐体とを備え、画像光を射出する画像形成装置と、
前記画像形成装置に着脱自在に支持され、前記画像光を投写する投写光学装置と、
前記画像形成装置または前記投写光学装置に支持され、前記画像形成装置と前記投写光学装置との間のトルク変動を吸収するダンパー機構と、
を備えることを特徴とするプロジェクター。
【請求項３】
請求項２に記載のプロジェクターであって、
前記投写光学装置は、
光学系と、
前記光学系を収納する投写光学用筐体と、
を備え、
前記光学系は、前記画像光が入射する第１光学系を有し、
前記投写光学用筐体は、
前記第１光学系を収納し、前記画像形成装置に支持される被支持部を有する第１収納部と、
前記被支持部と当該投写光学装置の重心とを結ぶ線に沿う方向に対して交差する第１方向において互いに対向する第１壁部および第２壁部と、
を有し、
前記ダンパー機構は、前記画像形成装置に支持され、
前記外装筐体から起立する起立部と、
前記起立部に支持されて前記第１壁部と前記第２壁部との間に配置され、前記第１壁部および前記第２壁部それぞれから押圧された押圧力に応じて、前記起立部に対する迫り出し量が変わるダンパー部と、
を備えることを特徴とするプロジェクター。
【請求項４】
請求項３に記載のプロジェクターであって、
前記光学系は、前記第１光学系から射出された光の進行方向を変え、前記第１光学系の第１光軸に交差する方向に沿う第２光軸を有する第２光学系を備え、
前記投写光学用筐体は、前記第２光学系を収納する第２収納部を有し、
前記第１壁部および前記第２壁部は、前記第２収納部に設けられていることを特徴とするプロジェクター。
【請求項５】
請求項４に記載のプロジェクターであって、
前記第１壁部および前記第２壁部は、前記第１光軸および前記第２光軸に交差する方向において、前記第２収納部の両側に設けられ、
前記ダンパー機構は、前記第２収納部の両側に設けられた前記第１壁部および前記第２壁部に対応して一対の前記起立部および前記ダンパー部を備えていることを特徴とするプロジェクター。
【請求項６】
請求項３〜請求項５のいずれか一項に記載のプロジェクターであって、
前記第１壁部および前記第２壁部は、互いに対向する側が平面に形成されていることを特徴とするプロジェクター。
【請求項７】
請求項６に記載のプロジェクターであって、
前記平面は、前記第１光軸に交差する面であることを特徴とするプロジェクター。
【請求項８】
請求項３〜請求項７のいずれか一項に記載のプロジェクターであって、
前記ダンパー機構は、前記起立部の回動により、前記ダンパー部が前記第１壁部と前記第２壁部との間に配置された第１状態と、前記ダンパー部が前記第１壁部と前記第２壁部との間の外側に配置された第２状態と、が切り替えられることを特徴とするプロジェクター。
【請求項９】
請求項３〜請求項８のいずれか一項に記載のプロジェクターであって、
前記ダンパー機構は、前記外装筐体に着脱可能に構成されていることを特徴とするプロジェクター。
【発明の詳細な説明】
【技術分野】
【０００１】
本発明は、投写光学装置、およびプロジェクターに関する。
【背景技術】
【０００２】
従来、光源から射出された光を画像情報に応じて変調する光変調装置と、光変調装置にて変調された光を投写面に投写する投写光学装置とを備えたプロジェクターが知られている。また、投写面に近い位置から投写可能とするために短焦点レンズ等を備えた投写光学装置を搭載したプロジェクター（例えば、特許文献１参照）や、光変調装置から射出された光の方向を変えて投写する投写光学装置を搭載したプロジェクターが提案されている。
【０００３】
特許文献１に記載のプロジェクターは、投写光学装置（投写レンズ）と保持部とを有する光学ユニット、および外装筐体等を備えている。
投写レンズは、投写される画像光の広角化に寄与する前側レンズ等の複数のレンズ、および鏡筒を備え、近接投写が可能に構成されている。前側レンズは、複数のレンズの中で最も光路後段側に配置され、外形寸法が鏡筒の外形寸法より大きく形成されている。
鏡筒にはフランジ部が設けられ、投写レンズは、このフランジ部がネジによって保持部に固定されている。
【先行技術文献】
【特許文献】
【０００４】
【特許文献１】特開２０１２−２２６０３３号公報
【発明の概要】
【発明が解決しようとする課題】
【０００５】
プロジェクターは、例えば、机上等に載置される場合等に、粗雑に取り扱われることによって、衝撃が加わる恐れがある。特許文献１に記載のプロジェクターにおいては、投写レンズが前側レンズ等を備えていることにより、投写レンズの重心がフランジ部とは離れた位置に設けられているので、この衝撃によって、フランジ部や保持部、あるいはその周辺の部材等が破損する恐れがある。
特許文献１に記載の投写レンズよりさらに重い投写光学装置や、フランジ部からさらに遠い位置に重心を有する投写レンズを備えたプロジェクターにおいては、負荷が増大するため、著しい破損が懸念される。
【課題を解決するための手段】
【０００６】
本発明は、上述の課題の少なくとも一部を解決するためになされたものであり、以下の形態または適用例として実現することが可能である。
【０００７】
［適用例１］本適用例に係る投写光学装置は、画像光を射出する画像形成装置に取り付けられる投写光学装置であって、光学系と、前記光学系を収納する投写光学用筐体と、を備え、前記光学系は、前記画像光が入射する第１光学系を有し、前記投写光学用筐体は、前記第１光学系を収納し、前記画像形成装置に支持される被支持部を有する第１収納部と、前記被支持部と当該投写光学装置の重心とを結ぶ線に沿う方向に対して交差する第１方向において互いに対向する第１壁部および第２壁部と、を有していることを特徴とする。
【０００８】
この構成によれば、投写光学装置は、被支持部に加え、第１壁部および第２壁部を用いた画像形成装置への取付けが可能となる。よって、入射する画像光のより広角化や、投写方向を変える等のために、大きい重量や、被支持部から離れた位置に重心を有する構成であっても、安定して画像形成装置に支持される投写光学装置の提供が可能となる。
【０００９】
［適用例２］本適用例に係るプロジェクターは、画像光を投写するプロジェクターであって、光源と光変調装置と外装筐体とを備え、画像光を射出する画像形成装置と、前記画像形成装置に着脱自在に支持され、前記画像光を投写する投写光学装置と、前記画像形成装置または前記投写光学装置に支持され、前記画像形成装置と前記投写光学装置との間のトルク変動を吸収するダンパー機構と、を備えることを特徴とする。
【００１０】
この構成によれば、プロジェクターが机上等に載置される場合等に、画像形成装置に衝撃が加わったとしても、その衝撃によって投写光学装置に加わる力をダンパー機構によって緩和することが可能となる。よって、入射する画像光の広角化や、投写方向を変える等のために、大きい重量を有する投写光学装置を備えた構成であっても、画像形成装置および投写光学装置の破損を防止し、耐衝撃性に優れたプロジェクターの提供が可能となる。
【００１１】
［適用例３］上記適用例に係るプロジェクターにおいて、前記投写光学装置は、光学系と、前記光学系を収納する投写光学用筐体と、を備え、前記光学系は、前記画像光が入射する第１光学系を有し、前記投写光学用筐体は、前記第１光学系を収納し、前記画像形成装置に支持される被支持部を有する第１収納部と、前記被支持部と当該投写光学装置の重心とを結ぶ線に沿う方向に対して交差する第１方向において互いに対向する第１壁部および第２壁部と、を有し、前記ダンパー機構は、前記画像形成装置に支持され、前記外装筐体から起立する起立部と、前記起立部に支持されて前記第１壁部と前記第２壁部との間に配置され、前記第１壁部および前記第２壁部それぞれから押圧された押圧力に応じて、前記起立部に対する迫り出し量が変わるダンパー部と、を備えることを特徴とする。
【００１２】
この構成によれば、投写光学装置は、被支持部が画像形成装置に支持され、第１壁部と第２壁部との間がダンパー機構のダンパー部に支持可能に構成されている。そして、このダンパー部は、第１壁部および第２壁部それぞれからの押圧力に応じて、ダンパー機構の起立部に対する迫り出し量が変わるように構成されている。これによって、画像形成装置に衝撃が加わった場合、投写光学装置には、被支持部を基端として重心が振られるような力が加わるため、第１壁部および第２壁部がダンパー部を押圧するが、その押圧力は、ダンパー部によって弱められる。よって、被支持部や被支持部を支持する部材等の破損を防止することが可能となる。したがって、入射する画像光の広角化や、投写方向を変える等のために、大きい重量や、被支持部から離れた位置に重心を有する投写光学装置を備えた構成であっても、耐衝撃性に優れたプロジェクターの提供が可能となる。
【００１３】
［適用例４］上記適用例に係るプロジェクターにおいて、前記光学系は、前記第１光学系から射出された光の進行方向を変え、前記第１光学系の第１光軸に交差する方向に沿う第２光軸を有する第２光学系を備え、前記投写光学用筐体は、前記第２光学系を収納する第２収納部を有し、前記第１壁部および前記第２壁部は、前記第２収納部に設けられていることが好ましい。
【００１４】
この構成によれば、第１壁部および第２壁部は、第２収納部に設けられているので、第２収納部寄りに重心を有する投写光学装置であっても、衝撃による投写光学装置の振れを効率良く抑えることが可能となる。よって、画像形成装置から射出された光の進行方向とは異なる方向に画像を投写し、耐衝撃性に優れたプロジェクターの提供が可能となる。
【００１５】
［適用例５］上記適用例に係るプロジェクターにおいて、前記第１壁部および前記第２壁部は、前記第１光軸および前記第２光軸に交差する方向において、前記第２収納部の両側に設けられ、前記ダンパー機構は、前記第２収納部の両側に設けられた前記第１壁部および前記第２壁部に対応して一対の前記起立部および前記ダンパー部を備えていることが好ましい。
【００１６】
この構成によれば、第１壁部および第２壁部と、起立部およびダンパー部とは、第２収納部の両側に設けられているので、衝撃による投写光学装置の振れをバランス良く抑えることが可能となる。よって、さらに耐衝撃性に優れたプロジェクターの提供が可能となる。
また、第２光軸に沿う方向において、第２収納部からの飛び出しを抑制して、第１壁部、第２壁部およびダンパー機構を構成することができるので、第２光軸に沿う方向におけるプロジェクターの大型化を抑制することが可能となる。
【００１７】
［適用例６］上記適用例に係るプロジェクターにおいて、前記第１壁部および前記第２壁部は、互いに対向する側が平面に形成されていることが好ましい。
【００１８】
この構成によれば、平面に沿う方向において、ダンパー部を高精度に配置することなく、第１壁部および第２壁部によるダンパー部の安定した押圧が可能となる。また、ダンパー部を平面に沿う方向に移動させることによって、ダンパー部を第１壁部と第２壁部との間に配置することが可能となる。よって、ダンパー部を容易に所定の位置に配置可能なダンパー機構を備えたプロジェクターの提供が可能となる。
【００１９】
［適用例７］上記適用例に係るプロジェクターにおいて、前記平面は、前記第１光軸に交差する面であることが好ましい。
【００２０】
この構成によれば、投写光学装置の被支持部を支持する部材が第１光軸に交差する方向に移動可能な構成、すなわち画像形成装置が投写光学装置を移動させるシフト機構を備える構成であっても、ダンパー機構を機能させることができる。よって、大きい重量や、被支持部から離れた位置に重心を有する投写光学装置、およびシフト機構を備えた構成であっても、耐衝撃性に優れたプロジェクターの提供が可能となる。
【００２１】
［適用例８］上記適用例に係るプロジェクターにおいて、前記ダンパー機構は、前記起立部の回動により、前記ダンパー部が前記第１壁部と前記第２壁部との間に配置された第１状態と、前記ダンパー部が前記第１壁部と前記第２壁部との間の外側に配置された第２状態と、が切り替えられることが好ましい。
【００２２】
この構成によれば、ダンパー機構は、起立部が回動されることより、第１状態と第２状態とが切り替えられる。これによって、ダンパー機構を分解することなく、ダンパー機構が機能する状態と、ダンパー機構が機能しない状態とを容易に切り替えることができるので、取扱い易いダンパー機構を備えたプロジェクターの提供が可能となる。
【００２３】
［適用例９］上記適用例に係るプロジェクターにおいて、前記ダンパー機構は、前記外装筐体に着脱可能に構成されていることが好ましい。
【００２４】
この構成によれば、第１壁部および第２壁部を有する投写光学装置を画像形成装置に装着する場合には、ダンパー機構を外装筐体に装着し、第１壁部および第２壁部を有さない小さな重量の他の投写光学装置を画像形成装置に装着する場合には、ダンパー機構を外装筐体から取り外すことができる。よって、様々な重量の投写光学装置を着脱可能とすると共に、他の投写光学装置が装着された場合の外観が良好なプロジェクターの提供が可能となる。
【図面の簡単な説明】
【００２５】
【図１】本実施形態のプロジェクターの主な構成を模式的に示す側面図。
【図２】本実施形態のプロジェクターの外観を示す斜視図。
【図３】本実施形態の画像形成装置の主な構成を示す模式図。
【図４】本実施形態の画像形成装置の斜視図。
【図５】本実施形態のプロジェクターの部分断面図。
【図６】本実施形態の第１状態におけるダンパー機構の斜視図。
【図７】本実施形態の第２状態におけるダンパー機構の斜視図。
【図８】本実施形態の回動ユニットの斜視図。
【図９】本実施形態のプロジェクターの部分断面図。
【図１０】本実施形態のプロジェクターの部分断面図。
【図１１】本実施形態のプロジェクターの部分断面図。
【図１２】本実施形態の画像形成装置にカバーが装着された状態を示す斜視図。
【発明を実施するための形態】
【００２６】
以下、本発明の実施形態について、図面を参照して説明する。なお、以下に示す各図においては、各構成要素を図面上で認識され得る程度の大きさとするため、各構成要素の寸法や比率を実際のものとは適宜異ならせてある。
【００２７】
以下、本実施形態に係るプロジェクターについて説明する。
本実施形態のプロジェクターは、光源から射出された光を画像情報に応じて変調し、変調した光をスクリーン等の投写面に拡大投写する。
【００２８】
〔プロジェクターの主な構成〕
図１は、本実施形態のプロジェクター１の主な構成を模式的に示す側面図である。図２は、プロジェクター１の外観を示す斜視図である。
プロジェクター１は、図１、図２に示すように、画像形成装置１Ａ、画像形成装置１Ａに着脱自在に支持された投写光学装置１Ｂ、およびダンパー機構６（図２参照）を備えている。なお、図示は省略するが、プロジェクター１は、投写光学装置１Ｂの一部およびダンパー機構６を覆う化粧部材を備えている。
【００２９】
画像形成装置１Ａは、図１に示すように、光源３１１および光変調装置３５１を有する光学ユニット３を備え、画像情報に応じた画像光を射出する。
投写光学装置１Ｂは、概略Ｕ字状の光路を有する光学系を備え、画像形成装置１Ａから射出された光の方向を２段階に順次屈曲させ、画像形成装置１Ａの投写光学装置１Ｂとは反対側に配置された投写面に拡大投写する。
【００３０】
ダンパー機構６は、図２に示すように、投写光学装置１Ｂに当接可能なダンパー部８を備え、画像形成装置１Ａに支持されている。そして、ダンパー機構６は、画像形成装置に衝撃が加わった場合に、投写光学装置１Ｂに伝わる衝撃を緩和するように構成されている。なお、説明の便宜上、画像形成装置１Ａが光を射出する方向を前方（＋Ｙ方向）、画像形成装置１Ａから射出された光が投写光学装置１Ｂの第１段目で屈曲されて進行する光の方向を上方（＋Ｚ方向）、前方から見たプロジェクター１の右側を右方（＋Ｘ方向）として記載する。
【００３１】
〔画像形成装置の主な構成〕
図３は、画像形成装置１Ａの主な構成を示す模式図である。図４は、画像形成装置１Ａの斜視図である。
画像形成装置１Ａは、図３に示すように、外装筐体２、外装筐体２に収納された制御部（図示省略）、光学ユニット３、およびレンズシフト機構３Ｓｈを備えている。また、図示は省略するが、画像形成装置１Ａは、光源３１１や制御部等に電力を供給する電源装置、および光学ユニット３や電源装置を冷却する冷却装置を備えている。
【００３２】
外装筐体２は、複数の部材が組み合わされて構成されており、図４に示すように、前側（＋Ｙ側）を形成する前面部２Ｆ、上側（＋Ｚ側）を形成する上面部２Ｕ、後側（−Ｙ側）を形成する背面部２Ｒ、および底面を形成する底面部２Ｂ等を有している。
前面部２Ｆおよび上面部２Ｕの前側には、投写光学装置１Ｂの一部が挿入される開口部２１が設けられている。上面部２Ｕには、この開口部２１の縁部の一部を形成し、周囲より窪む凹部２２が形成されている。
凹部２２は、ダンパー機構６が嵌合される部位である。凹部２２については、後で詳細に説明する。
【００３３】
また、底面部２Ｂには、プロジェクター１が机上等に載置された場合に、プロジェクター１を支持する複数の脚部２１ｆが設けられている。なお、図示は省略するが、外装筐体２には、外気を取り込む吸気口や、外装筐体２内部の温まった空気を外部に排気する排気口等が設けられている。
【００３４】
制御部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。また、図示は省略するが、外装筐体２には、制御部に接続された操作パネルおよびリモコン受光部が配置されており、この操作パネルやリモコン（リモートコントローラー）が操作されることによって、プロジェクター１の各種設定や操作が可能に構成されている。
【００３５】
光学ユニット３は、制御部による制御の下、光源３１１から射出された光を光学的に処理し、投写光学装置１Ｂに射出する。
光学ユニット３は、図３に示すように、光源装置３１、インテグレーター照明光学系３２、色分離光学系３３、リレー光学系３４、光学装置３５、およびこれらの光学部品を光路上の所定位置に配置する光学部品用筐体３７を備える。
【００３６】
光源装置３１は、超高圧水銀ランプやメタルハライドランプ等からなる放電型の光源３１１、およびリフレクター３１２等を備える。光源装置３１は、光源３１１から射出された光をリフレクター３１２にて反射し、インテグレーター照明光学系３２に向けて射出する。
【００３７】
インテグレーター照明光学系３２は、第１レンズアレイ３２１、第２レンズアレイ３２２、偏光変換素子３２３、および重畳レンズ３２４を備える。
第１レンズアレイ３２１は、小レンズがマトリクス状に配列された構成を有しており、光源装置３１から射出された光を複数の部分光に分割する。第２レンズアレイ３２２は、第１レンズアレイ３２１と略同様の構成を有しており、重畳レンズ３２４と共に、部分光を光変調装置３５１の表面に略重畳させる。偏光変換素子３２３は、第２レンズアレイ３２２から射出されたランダム光を光変調装置で利用可能な略１種類の偏光光に揃える機能を有している。
【００３８】
色分離光学系３３は、２枚のダイクロイックミラー３３１，３３２、および反射ミラー３３３を備え、インテグレーター照明光学系３２から射出された光を赤色光（以下「Ｒ光」という）、緑色光（以下「Ｇ光」という）、青色光（以下「Ｂ光」という）の３色の色光に分離する機能を有する。
【００３９】
リレー光学系３４は、入射側レンズ３４１、リレーレンズ３４３、および反射ミラー３４２，３４４を備え、色分離光学系３３で分離されたＲ光をＲ光用の光変調装置３５１まで導く機能を有する。なお、光学ユニット３は、リレー光学系３４がＲ光を導く構成としているが、これに限らず、例えば、Ｂ光を導く構成としてもよい。
【００４０】
光学装置３５は、各色光用に設けられた光変調装置３５１（Ｒ光用の光変調装置を３５１Ｒ、Ｇ光用の光変調装置を３５１Ｇ、Ｂ光用の光変調装置を３５１Ｂとする）、および色合成光学装置としてのクロスダイクロイックプリズム３５２を備える。
光変調装置３５１は、透過型の液晶パネル、液晶パネルの光入射側に配置された入射側偏光板、および液晶パネルの光射出側に配置された射出側偏光板を備える。
光変調装置３５１は、図示しない複数の微小画素がマトリクス状に形成された矩形状の画像形成領域を有する。各画素が画像情報に応じた光透過率に設定され、画像形成領域内には、表示画像が形成される。そして、各色光は、光変調装置３５１にて変調された後、クロスダイクロイックプリズム３５２に射出される。
【００４１】
クロスダイクロイックプリズム３５２は、４つの直角プリズムを貼り合わせた平面視略正方形状をなし、直角プリズム同士を貼り合わせた界面には、誘電体多層膜が形成されている。クロスダイクロイックプリズム３５２は、誘電体多層膜が光変調装置３５１Ｒ，３５１Ｂにて変調されたＲ光およびＢ光を反射し、光変調装置３５１Ｇにて変調されたＧ光を透過して、３色の変調光を合成する。
【００４２】
レンズシフト機構３Ｓｈは、詳細な説明は省略するが、光学部品用筐体３７に取り付けられたヘッド体、投写光学装置１Ｂを支持し、ヘッド体に移動可能に支持された移動部材３０Ｓｈ、および移動部材３０Ｓｈを移動させる電動式の駆動機構（図示省略）等を備える。そして、レンズシフト機構３Ｓｈは、操作パネルやリモコンの操作に応じて投写光学装置１Ｂを後述する第１光軸４１Ａｘに直交する方向に移動させる。本実施形態のレンズシフト機構３Ｓｈは、投写光学装置１Ｂを２方向（Ｘ方向およびＺ方向）に移動可能に構成されている。
【００４３】
〔投写光学装置の主な構成〕
投写光学装置１Ｂは、前述したように、概略Ｕ字状の光路を有する光学系を備え、クロスダイクロイックプリズム３５２にて合成された光を、プロジェクター１の後方側（−Ｙ側）に配置された投写面に拡大投写する。
投写光学装置１Ｂは、図１、図２に示すように、第１光学系４１、第２光学系４２、および第３光学系４３と、これらの光学系を収納する投写光学用筐体５とを備えている。
【００４４】
第１光学系４１には、画像形成装置１Ａから射出された光が入射する。第１光学系４１は、第１光軸４１Ａｘに沿って配置された複数のレンズを有し（図１では１つのレンズを図示）、画像形成装置１Ａのクロスダイクロイックプリズム３５２から射出された光を屈折させ、＋Ｙ側に射出する。
【００４５】
第２光学系４２は、図１に示すように、第１反射ミラー４２１および第２反射ミラー４２２を備え、第１光学系４１から射出された光の進行方向を変える。
第１反射ミラー４２１は、第１光学系４１の前方に配置され、第１光学系４１から射出された光を＋Ｚ方向に反射する。第２反射ミラー４２２は、＋Ｚ方向に進行した光を−Ｙ側に反射する。第１反射ミラー４２１で反射した光の光軸を第２光軸４２Ａｘ、第２反射ミラー４２２で反射した光の光軸を第３光軸４３Ａｘとする。すなわち、第２光学系４２は、第１光学系４１の第１光軸４１Ａｘに交差する方向に沿う第２光軸４２Ａｘを有している。なお、第２光学系４２は、第１反射ミラー４２１および第２反射ミラー４２２に加え、レンズ等の光学部品を有する構成であってもよい。
【００４６】
第３光学系４３は、第３光軸４３Ａｘに沿って配置された複数のレンズを有し、（図１では、複数のレンズのうち最も光射出側に配置されたレンズ４３１を図示）、第２光学系４２から射出された光を屈折させ、−Ｙ側に射出する。また、第３光学系４３は、入射する光を広角化させるレンズを備え、第２光学系４２から射出された光を広角化して上方にあおり投写を行う。すなわち、投写光学装置１Ｂは、プロジェクター１の後側（−Ｙ側）で、上下方向におけるプロジェクター１の上方（＋Ｚ方向）に画像を投写する。また、投写光学装置１Ｂは、投写面に近い位置での投写が可能で、プロジェクター１は、投写光学装置１Ｂが装着されることで、短焦点プロジェクターとして機能する。
【００４７】
図５は、プロジェクター１の部分断面図であり、ダンパー機構６および投写光学装置１Ｂを＋Ｘ側から見た図である。
投写光学用筐体５は、図１、図５に示すように、第１光学系４１を収納する第１収納部５１、第２光学系４２および第３光学系４３を収納する第２収納部５２、およびダンパー受部５３を有している。
第１収納部５１は、図５に示すように、円筒部５１１、円筒部５１１から突出する被支持部としてのフランジ部５１２を有している。
【００４８】
円筒部５１１は、第１光軸４１Ａｘに沿って延出している。
フランジ部５１２は、円筒部５１１に対して第１光軸４１Ａｘに交差する方向に突出し、平面視矩形状に形成されている。そして、フランジ部５１２には、ネジが挿通される複数のネジ挿通孔（図示省略）が形成されている。投写光学装置１Ｂは、このネジ挿通孔にネジが挿通されて、移動部材３０Ｓｈに固定される。このように、投写光学装置１Ｂは、第１収納部５１に設けられたフランジ部５１２（被支持部）が画像形成装置１Ａの移動部材３０Ｓｈに支持される。
【００４９】
第２収納部５２は、図１、図５に示すように、縦延出部５２１および横延出部５２２を有している。
縦延出部５２１は、第１収納部５１に接続されて＋Ｚ方向に延出し、第２光学系４２を収納する。縦延出部５２１は、第１反射ミラー４２１、第２反射ミラー４２２それぞれの反射面とは反対側に設けられた傾斜壁５２１ａ，５２１ｂを有している。
【００５０】
横延出部５２２は、縦延出部５２１に接続されて−Ｙ方向に延出し、第３光学系４３を収納する。
【００５１】
ダンパー受部５３は、図２に示すように、第２収納部５２の左右両側（＋Ｘ側および−Ｘ側）、すなわち、第１光軸４１Ａｘおよび第２光軸４２Ａｘに交差する方向において、第２収納部５２の両側に設けられている。ダンパー受部５３は、左右対称に形成されており、ここでは、右側（＋Ｘ側）のダンパー受部５３に注目して説明する。
＋Ｘ側のダンパー受部５３は、第２収納部５２から＋Ｘ方向に突出し、図５に示すように、前後方向（Ｙ方向）に併設された第１壁部５３１、第２壁部５３２を有している。
【００５２】
第１壁部５３１は、第２壁部５３２の＋Ｙ側に設けられている。第１壁部５３１および第２壁部５３２は、互いに対向する側が平面に形成されている。具体的に、第１壁部５３１は、第２壁部５３２に対向する第１平面５３１ａを有している。第２壁部５３２は、第１平面５３１ａに対向する第２平面５３２ａを有している。すなわち、第１壁部５３１と第２壁部５３２と、および第１平面５３１ａと第２平面５３２ａとは、Ｙ方向において互いに対向している。Ｙ方向は第１方向に相当する。また、第１平面５３１ａおよび第２平面５３２ａは、第１光軸４１Ａｘに直交しており、レンズシフト機構３Ｓｈによって移動する投写光学装置１Ｂの移動方向に沿って形成されている。
【００５３】
本実施形態の投写光学装置１Ｂは、図５に示すように、フランジ部５１２より離れた位置に重心Ｇを有している。具体的に、重心Ｇは、横延出部５２２寄りで、Ｙ方向においてはフランジ部５１２より−Ｙ側、Ｚ方向においては横延出部５２２の−Ｚ側端部近傍、Ｘ方向においては略中央に位置している。
投写光学装置１Ｂは、図１に示すように、第１収納部５１の一部が画像形成装置１Ａに挿入され、縦延出部５２１の一部が開口部２１内に配置され、横延出部５２２が外装筐体２（上面部２Ｕ）の上方に位置するように配置される。
【００５４】
〔ダンパー機構の主な構成〕
次に、ダンパー機構６の主な構成について説明する。
ダンパー機構６は、図２に示すように、回動ユニット７を備え、この回動ユニット７が起立した第１状態と、回動ユニット７が傾倒した第２状態とが可能に構成されている。
図６は、第１状態におけるダンパー機構６の斜視図である。図７は、第２状態におけるダンパー機構６の斜視図である。
ダンパー機構６は、図６、図７に示すように、ベース部６０、およびダンパー部８を有する一対の回動ユニット７を備え、外装筐体２の凹部２２に着脱可能に構成されている。
【００５５】
先ず、図４に戻って、外装筐体２の凹部２２について詳細に説明する。
凹部２２は、図４に示すように、上面部２Ｕにおける開口部２１の左右両側、および開口部２１の−Ｙ側に形成され、挿通孔２２１、案内溝２２２、および突起２２３が設けられている。
挿通孔２２１は、凹部２２の−Ｙ側の立壁に一対形成されている。案内溝２２２は、凹部２２の左右両側の立壁にそれぞれ形成され、Ｙ方向に沿って延出している。突起２２３は、各案内溝２２２の−Ｙ側にそれぞれ設けられ、上方に突出している。
【００５６】
ベース部６０は、外装筐体２の凹部２２（図４参照）に嵌合され、一対の回動ユニット７をそれぞれ回動可能に支持する。
図２に戻って、ベース部６０は、外装筐体２から突出する投写光学装置１Ｂ（縦延出部５２１）の左右両側にそれぞれ位置する台座部６１，６２、および投写光学装置１Ｂの前側で台座部６１と台座部６２とを繋ぐ接続部６３を有している。
【００５７】
台座部６１は、投写光学装置１Ｂの＋Ｘ側に設けられ、図６、図７に示すように、Ｘ方向よりＹ方向が長い外形を有し、Ｙ方向における中央には上側が凹む凹部６１１が形成されている。凹部６１１は、底面６１１ｂ、および底面６１１ｂから＋Ｚ方向に起立し、Ｙ方向において互いに対向する対向面６１１ａを有している。そして、この対向面６１１ａには、回動ユニット７の後述する軸部７１３を回動可能に受ける軸受部（図示省略）が形成されている。また、台座部６１には、外装筐体２の挿通孔２２１、案内溝２２２に挿入される突起（図示省略）が形成されている。
【００５８】
台座部６２は、投写光学装置１Ｂの−Ｘ側に設けられ、台座部６１と概略左右対称の形状を有しており、回動ユニット７の軸部７１３を回動可能に受ける軸受部（図示省略）が形成されている。また、台座部６２には、台座部６１と同様に、外装筐体２の挿通孔２２１に挿入される突起６２２（図６、図７参照）、および案内溝２２２に挿入される突起（図示省略）が形成されている。
【００５９】
接続部６３は、台座部６１の＋Ｙ側と台座部６２の＋Ｙ側を繋ぎ、投写光学装置１Ｂにおける縦延出部５２１の外面から僅かに離間する内面６３１を有している。
【００６０】
一対の回動ユニット７は、第２収納部５２の両側に設けられたダンパー受部５３に対応して設けられている。一対の回動ユニット７は、共通の形状を有し、一方が台座部６１に回動可能に軸支され、他方が台座部６２に回動可能に軸支されている。
【００６１】
ここでは、台座部６１に軸支された回動ユニット７（＋Ｘ側の回動ユニット７）に注目して説明する。
図８は、回動ユニット７の斜視図であり、台座部６１に軸支された第１状態の回動ユニット７を後方斜めから見た図である。図９は、プロジェクター１の部分断面図であり、第１状態におけるダンパー機構６近傍を＋Ｘ側から見た図である。
回動ユニット７は、図８、図９に示すように、起立部としての筐体７１、ロック部材７２、およびダンパー部８を備えている。ダンパー部８は、第１移動部材８１、第２移動部材８２、およびコイルバネ８３を備えている。
【００６２】
筐体７１は、図８に示すように、第１ケース７１ａおよび第２ケース７１ｂが組み合わされて形成され、Ｚ方向に延びる直方体状の収納部７１１、および屈曲部７１２を有している。
収納部７１１は、ダンパー部８およびロック部材７２を収納し、ダンパー部８の先端部（第１移動部材８１および第２移動部材８２の後述する突出部８１１，８２１）、およびロック部材７２の後述するボタン部７２１が露出する開口部が形成されている。
屈曲部７１２は、収納部７１１の−Ｚ側に設けられ、収納部７１１に対して屈曲されたように形成されている。そして、屈曲部７１２は、収納部７１１の＋Ｘ側の外面７１１Ａに対して−Ｘ側斜めに傾斜する外面（傾斜面７１２Ａ）を有している。また、屈曲部７１２には、軸部７１３、係止部７１４、およびロック部材７２の後述する突起部７２２が露出する開口部が形成されている。
【００６３】
軸部７１３は、円柱形状を有して屈曲部７１２の前後両側から突出し、台座部６１の軸受部に軸支される。係止部７１４は、屈曲部７１２の下方から突出している。
ダンパー機構６は、第１状態で回動ユニット７が台座部６１に対して起立し（図６参照）、第１状態から回動ユニット７が所定の位置まで回動されると、傾斜面７１２Ａがベース部６０の底面６１１ｂに当接して第２状態となる（図７参照）。すなわち、ダンパー機構６は、回動ユニット７が軸部７１３の中心軸（Ｙ方向に沿う中心軸）を中心に回動可能に構成され、筐体７１が回動されることで第１状態と第２状態とが切り替えられる。
【００６４】
ロック部材７２は、図８に示すように、収納部７１１から露出するボタン部７２１、および屈曲部７１２から露出する突起部７２２を有し、第１状態において、回動ユニット７の回動を規制する。
ボタン部７２１は、収納部７１１の上側に突出している。突起部７２２は、屈曲部７１２の前側および後側に突出している。
ロック部材７２は、ボタン部７２１が押圧されると、屈曲部７１２からの突起部７２２の飛び出し量が小さくなり、押圧が解放されると、屈曲部７１２からの突起部７２２の飛び出し量が大きくなる。
【００６５】
ダンパー部８は、前述したように、第１移動部材８１、第２移動部材８２、およびコイルバネ８３を備えている。
第１移動部材８１は、図８、図９に示すように、収納部７１１の＋Ｙ側から露出する直方体状の突出部８１１、収納部７１１内に配置され、突出部８１１の外形より大きな外形を有する座部８１２を有している。第１移動部材８１は、突出部８１１とは反対側が開口する中空に形成されている。
第２移動部材８２は、第１移動部材８１と共通に形成され、収納部７１１の−Ｙ側から露出する突出部８２１、収納部７１１内に配置された座部８２２を有している。
【００６６】
コイルバネ８３は、図９に示すように、第１移動部材８１内および第２移動部材８２内に配置され、第１移動部材８１および第２移動部材８２を互いが離間する方向に付勢する。コイルバネ８３に付勢された第１移動部材８１および第２移動部材８２は、座部８１２，８２２が収納部７１１の内面に当接してそれ以上の移動が規制される。
第１移動部材８１および第２移動部材８２は、突出部８１１，８２１がそれぞれ押圧されると、押圧力に応じて筐体７１からの迫り出し量が変わる。
【００６７】
ダンパー機構６は、投写光学装置１Ｂが取り付けられた画像形成装置１Ａに、第２状態（図７参照）で取り付けられる。
図１０は、プロジェクター１の部分断面図である。具体的に、図１０は、ダンパー機構６が画像形成装置１Ａに取り付けられる際の、回動ユニット７と投写光学装置１Ｂとの位置関係を示す図であり、＋Ｘ側の回動ユニット７近傍を前方（＋Ｙ側）から見た図である。
図１０に示すように、ダンパー機構６は、第２状態において、回動ユニット７が第１壁部５３１、第２壁部５３２から離間するので、画像形成装置１Ａの前方からのスライドで画像形成装置１Ａへの取付けが可能となる。具体的に、ダンパー機構６は、ベース部６０が外装筐体２の凹部２２（図４参照）に嵌合するまで後方にスライドされる。より具体的に、ダンパー機構６は、ベース部６０の突起６２２（図７参照）が挿通孔２２１（図４参照）に挿通され、図示しない突起が案内溝２２２（図４参照）に挿入されて凹部２２に嵌合される。
【００６８】
その後、ダンパー機構６は、ロック部材７２のボタン部７２１が押圧された状態で回動ユニット７が第１状態まで回動され、ボタン部７２１の押圧が解放されると、ロック部材７２の突起部７２２（図８参照）がベース部６０に係合して回動ユニット７の回動が規制されて第１状態となり、画像形成装置１Ａに装着された状態（装着状態）となる。ダンパー機構６は、この装着状態において、図５に示すように、係止部７１４が外装筐体２の突起２２３の−Ｙ側に係合し、＋Ｙ側への移動が規制されている。
【００６９】
図１１は、プロジェクター１の部分断面図であり、装着状態のダンパー機構６における＋Ｘ側の回動ユニット７近傍を前方（＋Ｙ側）から見た図である。
図９、図１１に示すように、ダンパー機構６は、装着状態（第１状態）において、筐体７１が外装筐体２に対して起立し、ダンパー部８が第１壁部５３１と第２壁部５３２との間に配置される。より具体的に、ダンパー部８は、図９に示すように、第１移動部材８１が第１平面５３１ａと対向し、第２移動部材８２が第２平面５３２ａと対向するように配置される。また、本実施形態のプロジェクター１は、外部から力が加えられていない静止状態において、第１移動部材８１と第１平面５３１ａと、第２移動部材８２と第２平面５３２ａとが僅かに離間するように設定されている。このように、静止状態でダンパー部８がダンパー受部５３に対して離間しているので、レンズシフト機構３Ｓｈによる投写光学装置１Ｂのスムースな移動が可能になっている。
【００７０】
一方、ダンパー機構６は、装着状態でロック部材７２のボタン部７２１が押圧されると、ベース部６０に対する突起部７２２の係合が解除され、回動ユニット７の回動が可能となる。そして、回動ユニット７は、第１状態から傾斜面７１２Ａがベース部６０の底面６１１ｂに当接するまで回動されると、筐体７１がベース部６０に対して傾倒し、第２状態となる（図１０参照）。第２状態において、ダンパー部８は、第１壁部５３１と第２壁部５３２との間の外側に配置される。また、ダンパー機構６は、係止部７１４と突起２２３との係合が解除されるので、前方へのスライドで画像形成装置１Ａからの取外しが可能となる。
このように、ダンパー機構６は、筐体７１の回動により、第１状態と第２状態とが切り替えられ、画像形成装置１Ａに着脱される。
【００７１】
〔ダンパー機構の動作〕
ここで、装着状態（第１状態）におけるダンパー機構６の動作について、図５を用いて説明する。
プロジェクター１が机上等に載置される際等に、取扱い方によっては、画像形成装置１Ａに衝撃が加わる場合がある。
投写光学装置１Ｂは、前述したように、フランジ部５１２と重心Ｇの位置とが離れているので、画像形成装置１Ａに衝撃が加わると、投写光学装置１Ｂには、主にフランジ部５１２を基端として重心Ｇが振られるような力が加わる。フランジ部５１２を剛体として捉えることができるので、投写光学装置１Ｂには、フランジ部５１２における重心Ｇに最も近い部位（図５におけるフランジ部５１２の上側の端部５１２Ａ）と、フランジ部５１２における重心Ｇに最も遠い部位（図５におけるフランジ部５１２の下側の端部５１２Ｂ）との間を支点として重心Ｇの位置が振動するような力が加わると考えられる。すなわち、端部５１２Ａ，５１２Ｂそれぞれを仮想の支点（中心）として重心Ｇに時計回り方向および反時計回り方向の力が加わる場合を考察すれば、その双方の間に、実際の支点を中心とする重心Ｇの位置が振動するような力の方向を予測することが可能となる。
【００７２】
図５に示すように、端部５１２Ａと重心Ｇとを結ぶ線Ｌａは、Ｚ方向に対して鋭角となるように傾斜している。端部５１２Ａを中心として重心Ｇの位置が振動するような力の方向は、端部５１２Ａを中心とする重心Ｇの位置の回転方向、すなわち、端部５１２Ａから重心Ｇの位置までを半径とする円弧における重心Ｇの位置の接線方向Ｔａ（図示省略）となる。この接線方向Ｔａは、Ｙ方向に対して鋭角となっている。
【００７３】
端部５１２Ｂと重心Ｇとを結ぶ線Ｌｂは、Ｚ方向に対して線Ｌａより小さい角度の鋭角となるように傾斜している。端部５１２Ｂを中心として重心Ｇの位置が振動するような力の方向は、端部５１２Ｂから重心Ｇの位置までを半径とする円弧における重心Ｇの位置の接線方向Ｔｂ（図示省略）となる。この接線方向Ｔｂは、Ｙ方向に対して接線方向Ｔａより小さな角度の鋭角を成している。
実際の支点を中心とする重心Ｇの位置が振動するような力（振動力）の方向は、接線方向Ｔａと接線方向Ｔｂとの間、すなわち、Ｙ方向に対して、接線方向Ｔａより小さな角度で、接線方向Ｔｂより大きな角度の鋭角を成していると考察することができる。
【００７４】
投写光学装置１Ｂは、第１壁部５３１と第２壁部５３２とがＹ方向において互いに対向しているので、重心Ｇに時計回り方向の振動力が加わった場合、第１壁部５３１がダンパー機構６の第１移動部材８１を押圧する（図５におけるＦ１）。また、投写光学装置１Ｂは、重心Ｇに反時計回り方向の振動力が加わった場合、第２壁部５３２がダンパー機構６の第２移動部材８２を押圧する（図５におけるＦ２）。
ダンパー機構６は、第１壁部５３１および第２壁部５３２それぞれから押圧された押圧力に応じて、筐体７１に対するダンパー部８の迫り出し量、すなわち、第１移動部材８１および第２移動部材８２の迫り出し量が変わり、この押圧力を吸収する。その結果、投写光学装置１Ｂへの衝撃が緩和される。
【００７５】
このように、第１壁部５３１および第２壁部５３２は、フランジ部５１２（被支持部）と重心Ｇとを結ぶ線に沿う方向に対して交差するＹ方向（第１方向）において互いに対向している。そして、ダンパー機構６は、画像形成装置１Ａを介して投写光学装置１Ｂに伝わる衝撃を緩和する。すなわち、ダンパー機構６は、画像形成装置１Ａと投写光学装置１Ｂとの間のトルク変動を吸収する。
【００７６】
なお、本実施形態の画像形成装置１Ａは、第１壁部５３１および第２壁部５３２を有さない他の投写光学装置（図示省略）を着脱可能に構成されている。そして、画像形成装置１Ａは、この他の投写光学装置が装着される場合には、ダンパー機構６に替えてカバー９が装着可能に構成されている。
図１２は、画像形成装置１Ａにカバー９が装着された状態を示す斜視図である。カバー９は、図１２に示すように、上面部２Ｕに倣う形状を有し、ダンパー機構６と同様に凹部２２（図４参照）に嵌合するように構成されている。
そして、画像形成装置１Ａは、カバー９が装着されると、前面部２Ｆに開口部１２１が設けられ、カバー９に干渉しないように形成された他の投写光学装置、例えば、＋Ｙ側に画像を投写する投写光学装置等が装着可能となる。
【００７７】
以上説明したように、本実施形態によれば、以下の効果を得ることができる。
（１）投写光学装置１Ｂは、フランジ部５１２に加え、第１壁部５３１および第２壁部５３２を有している。これによって、大きい重量や、フランジ部５１２から離れた位置に重心Ｇを有する構成であっても、安定して画像形成装置１Ａに支持される投写光学装置１Ｂの提供が可能となる。
【００７８】
（２）プロジェクター１は、ダンパー機構６が投写光学装置１Ｂに伝わる衝撃を緩和する。これによって、プロジェクター１に衝撃が加わった場合でも、フランジ部５１２やフランジ部５１２を支持するレンズシフト機構３Ｓｈ等の破損を防止することが可能となる。したがって、入射する画像光の広角化や、投写方向を変える等のために、大きい重量や、フランジ部５１２から離れた位置に重心Ｇを有する投写光学装置１Ｂを備えた構成であっても、耐衝撃性に優れたプロジェクター１の提供が可能となる。
【００７９】
（３）第１壁部５３１および第２壁部５３２は、第２光学系４２を収納する第２収納部５２に設けられているので、第２収納部５２寄りに重心Ｇを有する投写光学装置１Ｂであっても、衝撃による投写光学装置１Ｂの振動を効率良く抑えることが可能となる。よって、画像形成装置１Ａから射出された光の進行方向とは異なる方向に画像を投写し、耐衝撃性に優れたプロジェクター１の提供が可能となる。
また、投写光学装置１Ｂが入射する光を広角化させるレンズを備えているので、耐衝撃性に優れた短焦点プロジェクターの提供が可能となる。
【００８０】
（４）第１壁部５３１および第２壁部５３２と、ダンパー部８とが第２収納部５２の両側に設けられているので、衝撃による投写光学装置１Ｂの振動をバランス良く抑えることが可能となる。よって、さらに耐衝撃性に優れたプロジェクター１の提供が可能となる。
また、Ｚ方向において、第２収納部５２からの飛び出しを抑制して、第１壁部５３１、第２壁部５３２およびダンパー機構６を構成することができるので、Ｚ方向におけるプロジェクター１の大型化を抑制することが可能となる。
【００８１】
（５）第１壁部５３１および第２壁部５３２は、互いに対向する側が平面（第１平面５３１ａ、第２平面５３２ａ）に形成されているので、この平面に沿う方向において、ダンパー部８を高精度に配置することなく、第１壁部５３１および第２壁部５３２によるダンパー部８の安定した押圧が可能となる。また、ダンパー部８をこの平面に沿う方向に移動させることによって、ダンパー部８を第１壁部５３１と第２壁部５３２との間に配置することが可能となる。よって、ダンパー部８を容易に所定の位置に配置可能なダンパー機構６を備えたプロジェクター１の提供が可能となる。
【００８２】
（６）プロジェクター１は、投写光学装置１Ｂの第１平面５３１ａ、第２平面５３２ａが第１光軸４１Ａｘに直交しているので、レンズシフト機構３Ｓｈを備える構成であっても、ダンパー機構６を機能させることができる。よって、大きい重量やフランジ部５１２から離れた位置に重心Ｇを有する投写光学装置１Ｂ、およびレンズシフト機構３Ｓｈを備えた構成であっても、耐衝撃性に優れたプロジェクター１の提供が可能となる。
【００８３】
（７）ダンパー機構６は、筐体７１が回動されることより、第１状態と第２状態とが切り替えられる。これによって、ダンパー機構６を分解することなく、ダンパー機構６が機能する状態と機能しない状態とを容易に切り替えることができるので、取扱い易いダンパー機構６を備えたプロジェクター１の提供が可能となる。
【００８４】
（８）ダンパー機構６は、外装筐体２に着脱可能に構成されている。これによって、第１壁部５３１および第２壁部５３２を有さない小さな重量の他の投写光学装置を画像形成装置１Ａに装着する場合には、ダンパー機構６を外装筐体２から取り外すことができる。よって、様々な重量の投写光学装置を着脱可能とすると共に、他の投写光学装置が装着された場合の外観が良好なプロジェクターの提供が可能となる。
【００８５】
（変形例）
なお、本発明は上述した実施形態に限定されず、上述した実施形態に種々の変更や改良などを加えることが可能である。変形例を以下に述べる。
前記実施形態の投写光学装置１Ｂは、画像形成装置１Ａから射出された光の方向を２段階に順次屈曲させる光学系（概略Ｕ字状の光路を有する光学系）を備えているが、この構成に限らない。例えば、画像形成装置１Ａから射出された光の方向を１段階で屈曲させ、＋Ｚ側に投写する構成（概略Ｌ字状の光路を有する光学系）であってもよい。また、画像形成装置１Ａから射出された光の方向を異なる方向に屈曲させずに＋Ｙ側に投写する構成にも適用可能である。
【００８６】
前記実施形態のダンパー機構６は、ベース部６０と一対の回動ユニット７とが一体化され、各回動ユニット７がベース部６０に対して回動可能に構成されているが、この構成に限らない。例えば、ベース部６０に相当するベース部材と、ダンパー部８および起立部を有する一対のユニットとが分離して構成され、ベース部材が画像形成装置１Ａに装着された後、このベース部材に一対のユニットが挿入されることによって、ダンパー部８が所定の位置に配置される態様であってもよい。
【００８７】
前記実施形態のダンパー機構６は、ベース部６０を有しているが、ベース部６０を備えない構成とし、外装筐体２に回動可能に支持された回動ユニットを備えたダンパー機構を構成してもよい。
【００８８】
前記実施形態のプロジェクター１は、レンズシフト機構３Ｓｈを備えているが、レンズシフト機構３Ｓｈを備えない構成であってもよい。この構成の場合、第１壁部５３１および第２壁部５３２の互いに対向する側は平面に限らず、ダンパー部８の先端部（第１移動部材８１、第２移動部材８２の先端部）が安定して当接可能な形状であればよい。
【００８９】
前記実施形態のプロジェクター１は、ダンパー受部５３および回動ユニット７がそれぞれ一対（２組）設けられているが、１組で構成された態様であってもよい。例えば、投写光学用筐体５の縦延出部５２１の後側にこの１組を設ける構成等が考えられる。
【００９０】
前記実施形態の投写光学装置１Ｂは、ネジを用いて画像形成装置１Ａに取り付けられているが、画像形成装置１Ａが回転部材を備える構成とし、この回転部材の回転によって投写光学装置１Ｂを係止する、いわゆるスピゴット方式による取り付けであってもよい。
【００９１】
前記実施形態のダンパー部８は、第１移動部材８１および第２移動部材８２を付勢する部材としてコイルバネ８３が用いられているが、これに限定されるものではなく、例えば、板バネ等を利用したものであってもよい。
【００９２】
前記実施形態のプロジェクター１は、ダンパー機構６が画像形成装置１Ａに支持され、ダンパー受部５３が投写光学装置１Ｂに設けられているが、投写光学装置１Ｂに支持されたダンパー機構、およびダンパー受部が設けられた画像形成装置を備えたプロジェクターを構成してもよい。
また、プロジェクターが設置される設置面や壁を利用してダンパー機構が機能するように構成することも可能である。例えば、ダンパー機構が投写光学装置１Ｂに支持され、ダンパー機構におけるダンパー部が設置面や壁に当接可能とすることで、画像形成装置と投写光学装置との間のトルク変動を吸収するように構成することが可能である。
【００９３】
前記実施形態のプロジェクター１は、光変調装置３５１として透過型の液晶パネルを用いているが、反射型の液晶パネルを利用したものであってもよい。
また、前記実施形態の光変調装置３５１は、Ｒ光、Ｇ光、およびＢ光に対応する３つの光変調装置を用いた、いわゆる３板方式を採用しているが、これに限らず、単板方式を採用してもよく、あるいは、２つまたは４つ以上の光変調装置を備えるプロジェクターにも適用できる。
また、光変調装置としてマイクロミラー型の光変調装置、例えば、ＤＭＤ（Digital Micromirror Device）等を利用したものであってもよい。
【００９４】
前記実施形態の光源装置３１は、放電型の光源３１１を用いているが、その他の方式の光源や発光ダイオード、レーザー等の固体光源で構成してもよい。
【符号の説明】
【００９５】
１…プロジェクター、１Ａ…画像形成装置、１Ｂ…投写光学装置、２…外装筐体、３Ｓｈ…レンズシフト機構、５…投写光学用筐体、６…ダンパー機構、８…ダンパー部、４１…第１光学系、４１Ａｘ…第１光軸、４２…第２光学系、５１…第１収納部、５２…第２収納部、７１…筐体（起立部）、３１１…光源、３５１，３５１Ｂ，３５１Ｇ，３５１Ｒ…光変調装置、５１２…フランジ部（被支持部）、５３１…第１壁部、５３１ａ…第１平面、５３２…第２壁部、５３２ａ…第２平面。
【図１】
2018124311.tif 000003
【図２】
2018124311.tif 000004
【図３】
2018124311.tif 000005
【図４】
2018124311.tif 000006
【図５】
2018124311.tif 000007
【図６】
2018124311.tif 000008
【図７】
2018124311.tif 000009
【図８】
2018124311.tif 000010
【図９】
2018124311.tif 000011
【図１０】
2018124311.tif 000012
【図１１】
2018124311.tif 000013
【図１２】
2018124311.tif 000014